(57)【要約】【課題】携帯電話に接続されるアタッチメントを用いて、配信コンテンツの変更操作をはじめとする各機能実行操作を、より簡単に行えるようにする。【解決手段】通信ネットワークと接続された所定のサイトに、携帯端末から前記通信ネットワークを介してアクセスするために前記携帯端末に一時的に接続されるアタッチメントであって、前記所定のサイトのＵＲＬ等のサイト場所データを記憶するサイト場所記憶部と、前記携帯端末により前記通信ネットワークを介して前記所定のサイトとの間で所定の情報処理を実行させる際に、その携帯端末に出力可能な複数の項目をスクロール可能に表示する表示画面と、その表示内容をスクロールさせるスクロールボタンと、そのスクロール後の表示内容に決定（確定）する決定ボタンと、前記携帯端末との接続部と、を含むよう構成する。【選択図】　図１
2004140639.tif 000002
【特許請求の範囲】
【請求項１】
携帯端末に接続可能なアタッチメントであって、
所定の表示内容を表示する表示画面と、
その表示画面の表示内容をスクロールさせるスクロール操作手段と、
その画面における内容を決定指示する決定操作手段と、
前記携帯端末に対して必要なときに接続可能な接続部と、
前記決定操作手段で決定された表示内容に対応するデータを前記接続部を介して前記携帯端末に供給するデータ供給手段と、
を備えることを特徴とする携帯端末に接続可能なアタッチメント。
【請求項２】
前記アタッチメントは、複数の階層構造を有する項目等のデータを記憶する記憶手段を備え、それら複数の各階層が選択的に前記表示画面に表示されている状態において前記決定操作手段により各階層の表示内容が決定指示されることにより上層から下層の表示内容が表示され、最終的に前記決定操作手段により決定指示されたデータが前記携帯端末に供給される請求項１に記載の携帯端末に接続可能なアタッチメント。
【請求項３】
通信ネットワークと接続された所定のサイトに、携帯端末から前記通信ネットワークを介してアクセスするために前記携帯端末に一時的に接続されるアタッチメントであって、
前記所定のサイトのＵＲＬ等のサイト場所データを記憶するサイト場所記憶部と、
前記携帯端末により前記通信ネットワークを介して前記所定のサイトとの間で所定の情報処理を実行させる際に、その携帯端末に出力可能な複数の項目をスクロール可能に表示する表示画面と、
その表示内容をスクロールさせるスクロールボタンと、
そのスクロール後の表示内容に決定（確定）する決定ボタンと、
前記携帯端末との接続部と、
を含むことを特徴とする通信ネットワーク接続機能を備えた携帯端末に接続可能なアタッチメント。
【請求項４】
通信ネットワークと接続された所定のサイトに、携帯端末から前記通信ネットワークを介してアクセスするために前記携帯端末に一時的に接続されるアタッチメントであって、
前記所定のサイトのＵＲＬ等のサイト場所データを記憶するサイト場所記憶部と、
その所定のサイトから前記通信ネットワークを介して所定のコンテンツの配信を受ける際にそのコンテンツの種別（項目）を記憶するコンテンツ種別記憶部と、
少なくとも前記コンテンツ種別の一部のものを表示可能な表示画面と、
その表示内容をスクロールさせるスクロールボタンと、
そのスクロール後の表示内容に決定（確定）する決定ボタンと、
前記携帯端末との接続部と、
を含むことを特徴とする通信ネットワーク接続機能を備えた携帯端末に接続可能なアタッチメント。
【請求項５】
前記決定ボタンは、前記コンテンツ種別をスクロール後の表示内容に決定するとともに、前記サイト場所データを前記携帯端末に供給して前記所定のサイトへその携帯端末を接続させ、前記決定されたコンテンツ種別をその携帯端末及び通信ネットワークを介して前記所定のサイトに送信するものである請求項４に記載の通信ネットワーク接続機能を備えた携帯端末に接続可能なアタッチメント。
【請求項６】
前記アタッチメントは、前記表示画面に表示する複数の内容を記憶する表示内容記憶部を有し、その表示内容には、機能選択項目及び内容選択項目とを含み、その表示内容記憶部から読み出された表示内容が前記表示画面にスクロール可能に表示されるとともに、そのスクロール表示内容のうち決定された機能選択項目及び内容選択項目に対応したデータが前記携帯端末に供給され、その携帯端末から通信ネットワークを介して前記所定のサイトに対し、前記決定された項目に対応する処理が実行される請求項３に記載の通信ネットワーク接続機能を備えた携帯端末に接続可能なアタッチメント。
【発明の詳細な説明】
【０００１】
【発明の属する技術分野】
本発明は、通信ネットワーク接続機能を備えた携帯端末に接続可能なアタッチメントに関する。
【０００２】
【従来の技術】
従来、携帯電話等の端末から銀行の口座にアクセスしたり、特定のサイトにアクセスして、所望の手続をしたり必要なデータを入手したりすることが行われている。例えば、通信ネットワークとしてのインターネットに接続されたメール配信サイトに対し、携帯電話からその通信機能を利用してアクセスし、その携帯電話のメールアドレスをそのメール配信サイトに一度登録すれば、あとはそのメール配信サイトから携帯電話に定期的に希望する所定のメールが配信されるようにしたシステムが知られている。
【０００３】
【発明が解決しようとする課題】
しかし、携帯電話等の携帯端末のキー操作により、モバイルバンキングをしたり、所定のサイトにアクセスして所望のデータを入手したりすることは、そのような操作に慣れたユーザにとっては問題ないが、そういった操作に慣れていない人にとっては、携帯電話等でそうした機能があることを知ったとしても、操作が複雑でうまく使いこなせないことが多かった。
【０００４】
言い換えれば、携帯電話等のこういった携帯端末上での操作は、実際面倒であるし、そのような操作に不慣れなユーザー（例えば、年配者や情報機器に慣れない人）にとっては、かならずしも容易に行えるとは言い難く、積極的な利用には躊躇してしまうケースも多い。
【０００５】
この発明は、携帯電話等の携帯端末の機能を操作容易にするアタッチメントを提供することにあり、一例としては、メール配信サイトに対する携帯端末からのメールアドレスの送信を容易にし、情報機器に不慣れなユーザーでも、メール配信サイトからの定期的なメール配信サービスを受けることができるようにすることにある。さらに、主な特徴として、上記の問題に鑑みて、配信コンテンツの変更操作等の機能実行をアタッチメントを用いてより簡単に行えるようにすることにある。
【０００６】
【課題を解決するための手段及び発明の効果】
この発明は、携帯端末に接続可能なアタッチメントであって、
所定の表示内容を表示する表示画面と、
その表示画面の表示内容をスクロールさせるスクロール操作手段と、
その画面における内容を決定指示する決定操作手段と、
前記携帯端末に対して必要なときに接続可能な接続部と、
前記決定操作手段で決定された表示内容に対応するデータを前記接続部を介して前記携帯端末に供給するデータ供給手段とを備えることを特徴とする。
【０００７】
また、この発明は、通信ネットワークと接続された所定のサイトに、携帯端末から前記通信ネットワークを介してアクセスするために前記携帯端末に一時的に接続されるアタッチメントであって、
前記所定のサイトのＵＲＬ等のサイト場所データを記憶するサイト場所記憶部と、
前記携帯端末により前記通信ネットワークを介して前記所定のサイトとの間で所定の情報処理を実行させる際に、その携帯端末に出力可能な複数の項目をスクロール可能に表示する表示画面と、
その表示内容をスクロールさせるスクロールボタンと、
そのスクロール後の表示内容に決定（確定）する決定ボタンと、
前記携帯端末との接続部と、を含むことを特徴とする。
【０００８】
上記構成によれば、主な機能をアタッチメントの表示画面に出力し、スクロール操作手段としての例えばスクロールボタンにより、いずれかの機能を選択して、表示内容を決定する決定手段としての例えば決定ボタンを押すことで、所望の機能を実行することができる。
【０００９】
また、さらに具体的にこのアタッチメントは、前記所定のサイトのＵＲＬ等のサイト場所データを記憶するサイト場所記憶部と、
その所定のサイトから前記通信ネットワークを介して所定のコンテンツの配信を受ける際にそのコンテンツの種別（項目）を記憶するコンテンツ種別目記憶部と、
少なくとも前記コンテンツ種別の一部のものを表示可能な表示画面と、
その表示内容をスクロールさせるスクロールボタンと、
そのスクロール後の表示内容に決定（確定）する決定ボタンと、
前記携帯端末との接続部と、を含むことを特徴とする。
【００１０】
そして、さらなる具体的な形態は、前記決定ボタンは、前記コンテンツ種別をスクロール後の表示内容に決定するとともに、前記サイト場所データを前記携帯端末に供給して前記所定のサイトへその携帯端末を接続させ、前記決定されたコンテンツ種別をその携帯端末及び通信ネットワークを介して前記所定のサイトに送信するものである。
【００１１】
上記構成により、「配信コンテンツ変更」機能に関しては、これまで、携帯端末（第三者）の表示画面からＷｅｂ上でいちいち変更操作を行っていた手間が著しく改善される。配信コンテンツ種別は、例えば第１上層クラスデータとしての天気予報、ゲーム、ニュース、占い、お店情報等に分類され、さらにそのサブクラスとして天気予報であれば関東、東海、北陸、中国といったどの地方のさらにその下層クラスの何県を特定したいであるとか、占いであればタロット占いや星座占い、風水占い等、１つの上層クラスコンテンツに対して多数の選択肢が考えられる。第１上層クラスだけでも上記のように数種は挙げられるものである。
【００１２】
上記構成による本発明では、これらのコンテンツ種別をアタッチメントのＲＡＭにあらかじめ記憶させておき、アタッチメントの表示画面を見て、選択・操作手段であるスクロールボタンによって選択して決定ボタンを押すことによりコンテンツ種別を下層クラスまで選択することができる。そして、最終決定も同様に決定ボタンを押す操作のみによって、アタッチメントと接続された携帯電話からメール配信サイト（サーバー）にその情報が送信・記憶される。
【００１３】
また、本発明の別な形態として、前記アタッチメントは、前記表示画面に表示する複数の内容を記憶する表示内容記憶部を有し、その表示内容には、機能選択項目及び内容選択項目とを含み、その表示内容記憶部から読み出された表示内容が前記表示画面にスクロール可能に表示されるとともに、そのスクロール表示内容のうち決定された機能選択項目及び内容選択項目に対応したデータが前記携帯端末に供給され、その携帯端末から通信ネットワークを介して前記所定のサイトに対し、前記決定された項目に対応する処理が実行される。
【００１４】
上記構成においては、例えば機能選択項目とは「メール配信自動登録」「配信コンテンツ変更」といった機能が挙げられ、内容選択項目とは例として「配信コンテンツ変更」機能におけるさらに詳しい情報とすることができる。こういった機能項目及び内容選択項目に対応したデータが携帯端末に供給されて、所望の内容に順ずる機能を携帯端末に実行することができる。
【００１５】
【発明の実施の形態】
以下、図面に示す実施例を参照しつつこの発明の実施の形態を説明する。
【００１６】
図１は、本発明の全体的な概念を説明するもので、メール配信サイト１はインターネット２に接続され、またこのインターネット２に携帯端末としての携帯電話３、４等が接続できるようになっている。携帯電話３、４はインターネット２を通じてメール配信サイト１にアクセスすることができ、メール配信サイト１では、それら携帯電話のメールアドレスを登録するアドレス登録、その登録されたメールアドレスの携帯電話へ配信するためのコンテンツ等を記憶している。また、店情報等の広告コンテンツを記憶するホームページエリアも有している。携帯電話３、４には、アタッチメント５が装着可能となっている。
【００１７】
このアタッチメント５は典型事例に即して言えば、多数の客側（第三者）の携帯電話３に接続することもできるし、ある店舗を有する店側（メイン）の携帯電話４にも接続することができる。そして、店側でこの１個のアタッチメント５を所定の供給先（例えばメール配信サイトの主催者等）から購入するかもしくは貸与を受ける。その店舗は、入手したアタッチメント５を顧客サービスに利用するために、そのアタッチメント５を、客の携帯電話３を借りてそれに接続し、店側でそのアタッチメント５の後述する配信登録や配信コンテンツ変更を選択して決定ボタンを押すことにより、客の携帯電話のメールアドレスをインターネット２を介して、メール配信サイト１に登録したり、配信コンテンツを変更してあげたりすることができる。
【００１８】
これにより、客側としては、以後、自身の携帯電話３に例えば天気予報とか株式情報等の希望するコンテンツを、定期的にメール配信サイト１から送信を受けることができる。そのため、店側にとっては、このアタッチメント５を利用したメールアドレス登録及び配信コンテンツ変更を客に対するサービスの一環として行うことができる。また、店側はメール配信サイト１に自身の店舗情報等の広告コンテンツをホームページエリアに予め登録しておけば、上述の天気予報等のコンテンツだけでなく、自分の店情報を客の携帯電話３にメール配信サイト１から定期的又は所定のタイミングで送信してもらうことができる。
【００１９】
そして、アタッチメント５をホームページエリア（広告コンテンツとしての店情報）を変更する等の編集操作に利用することができる。つまり、店の（メインの）携帯電話４に店側が所有するアタッチメント５を自ら接続しそのアタッチメント５に設けられた後述する操作（アタッチメント５の表示画面にて「編集」を選択して決定ボタンを押す、詳細は後に説明する）をすることにより、この店側の携帯電話４がインターネット２を介して自分の店情報が記憶されたサイトエリアに自動的につながり、後は店側の携帯電話４の入力操作等により所望の内容に変更できる。これは例えばバーゲンセールを行う場合等に、時間単位で値段を下げたり、一週間ごとに目玉商品を変えていく等のタイムリーな広告コンテンツを容易に作成することにつながる。
【００２０】
図２は、メール配信サイト１を構成するサーバ１の内容を概念的に示すものである。このサーバ１はＩ／Ｏポート７を介してインターネット２につながり、バス８を介してＣＰＵ９、ＲＯＭ１０、ＲＡＭ１１及び大容量記憶装置としてのＨＤＤ１２を含む。ＨＤＤ１２には、天気予報、占い、ニュース、その他の配信コンテンツ記憶部、アタッチメント５を介して携帯電話３から送信される携帯電話のメールアドレスを記憶する記憶部、携帯電話のユーザー（客側）がどのような配信コンテンツを希望しているかを記憶する希望コンテンツ記憶部、アタッチメント５を購入し又は貸与を受けたホストの携帯電話番号又はその個人情報を含むホスト携帯電話情報を記憶する記憶部、前述の店情報としての広告を記憶したホームページ（広告）格納エリア等を有している。
【００２１】
またＲＯＭ１０には、アタッチメント５を介して携帯電話３から送信された携帯電話３のメールアドレスを登録するプログラム、その登録されたプログラムに定期的又は所定の時期に予め決められたコンテンツを配信するメール配信プログラム、ホスト側の携帯電話４からアタッチメント５を介してホームページ（広告コンテンツとしての店情報）を編集するためのホームページ編集プログラム、携帯電話３からアタッチメント５を介して配信希望のコンテンツを変更するための配信コンテンツ変更プログラム等が記憶されている。ＲＡＭ１１はワークメモリとして機能し、必要なデータを一時的に記憶する。
【００２２】
図３（ａ）は、携帯電話３、４とアタッチメント５との接続関係を示している。図３（ｂ）に示すように、アタッチメント５は、本体１５、その一端に設けられた接続端子１６、本体１５に設けられた決定ボタン１７、画面内の項目を操作選択する手段としてのスクロールボタン１８、さらに接続状態でロックする爪２０を解除するために押されるロック解除ボタン１９、決定ボタン１７が押されアタッチメント５により所定の処理がされている状態で点灯するランプ２１を備えている。携帯電話３又は４は通常のもので、アタッチメント１５の接続端子１６と互いに接続する接続端子２８を備えている。逆に言えば、携帯電話３又は４の接続端子２８に装着可能なように、アタッチメント５の接続端子１６が形成される。
【００２３】
図４は、携帯電話３又は４とアタッチメント５のそれぞれの回路構成を簡単に示すものである、アタッチメント５の接続端子１６は、Ｉ／Ｏポート２２を介して表示画面３０、決定ボタン１７、スクロールボタン１８さらに、ＣＰＵ２４、ＲＯＭ２５及びＲＡＭ２６とに接続されている。ＲＡＭ２６には、メール配信サイト１のアドレス（ＵＲＬ）を記憶する記憶部、店側の広告、いわゆる店舗情報を載せているホームページのアドレス（ＵＲＬ）を記憶する記憶部、ホスト（店側）の携帯電話の電話番号（携帯番号ともいう）を記憶する記憶部、アタッチメントの表示画面に表示される主な機能である機能選択項目を記憶する記憶部、さらにその機能の内容である内容選択項目を記憶する記憶部、ユーザーが選択するコンテンツを特定するためのコンテンツ種別を記憶する記憶部を備えている。
【００２４】
ＲＯＭ２５には、アタッチメント５が携帯電話３に接続された状態で配信登録操作がされることにより携帯電話のメールアドレスを読み出すプログラム、さらに、その携帯電話のメールアドレスを携帯電話３及びインターネット２を介してメール配信サイト１へ送信することを指令するプログラムが記憶されている。また、後述のホスト側の携帯番号をチェックするプログラム、さらにアタッチメント５が店側（ホスト側）の携帯電話４に接続された状態でホームページの編集操作決定がなされることにより当該ホスト側の携帯電話４をメール配信サイト１のホームページエリアへ繋げるための編集指令プログラム、アタッチメント５が携帯電話３に接続された状態で配信コンテンツを変更する操作指令を出す配信コンテンツの変更指令プログラム等が格納されている。
【００２５】
一方、携帯電話３、４は通常の公知のものであるため詳しい説明はしないが、接続端子２８はＩ／Ｏポート２９を介してＣＰＵ３０、ＲＯＭ３１及びＲＡＭ３２に接続され、また表示画面３３や入力キー３４等の制御部もこれらに接続されている。ＲＡＭ３２にはこの携帯電話番号を記憶する記憶部、この携帯電話のメールアドレスを記録する記憶部を少なくとも備え、携帯電話３又は４に通常備えられる要素として、表示画面３３、入力キー３４、マイク３５、スピーカ３６、発信・受信部３７及びアンテナ３８を備えている。
【００２６】
アタッチメント５の接続端子１６と携帯電話３又は４の接続端子２８とが接続した状態で、表示画面４０に表示されるメール配信自動登録（図５（ａ）参照）がスクロールボタン１８によって選択されて、アタッチメント５の決定ボタン１７が押されれば、ＣＰＵ２４は携帯メールアドレス読み出しプログラム及び携帯メールアドレス送信指令プログラムを起動し、ＲＡＭ２６のメール配信サイトのアドレスのデータを、携帯電話３のＲＡＭ３２のワークエリアに送信し、携帯電話３のＣＰＵ３０は、その携帯メールアドレスを発信・受信部３７、アンテナ３８を介して所定の基地局に送信し、インターネット２を介してそれがメール配信サイト１に送信されることとなる。なお、入力キー３４を入力操作することによりメール配信サイト１のアドレスを入力すれば、そのデータが一旦ＲＡＭ３２のワークエリアに一時記憶され、携帯電話３の送信作用によってもこれを送信することができるが、アタッチメント５を使用することで、その入力操作が省略できる。
【００２７】
次に、アタッチメント５の表示画面４０に表示される画面の例を示しながら、機能とメニューの選択・決定手順について説明する。その表示画面例を図５（ａ）〜（ｃ）に示す。まず、初期画面として図５（ａ）に示すように、「メール配信自動登録」、「編集」、「配信コンテンツ変更」の代表的な３つの機能が表示される。ここで、「メール配信自動登録」及び「配信コンテンツ変更」は、客側（第３者）の携帯電話３にアタッチメント５を接続して実行される機能であり、メール配信サイト１のホームページエリアの情報を編集する機能である「編集」は、店側（ホスト）の携帯電話４に接続して実行されるものである。
【００２８】
図５（ａ）において、この３つの機能選択は、実行したい機能のタグをスクロールボタン１８を上下させることにより黒く反転させて選択し、その選択状態で決定ボタン１７が押されると、次の画面へと進むように構成できる。以下、スクロールボタン１８を用いて種々のメニュー選択をする場合にも同様の操作で実行できる。図５（ａ）にて「配信コンテンツ変更」の機能タグが選択され決定されると、続いて希望するコンテンツをさらに特定するために、図５の（ｂ）で、配信コンテンツのメインクラスの情報である天気、占い、ゲーム、ニュース、為替、店情報といったコンテンツの種別を示す選択画面が現れる。ここで例えば「４．ニュース」が選択され決定されると、（ｃ）に示すようにさらにニュースのサブクラスデータである具体的な種類が表示されて、ここで例えば「全国ニュース」が選択され決定されると、このコンテンツ種別を特定する最終情報としてアタッチメント５と接続された携帯電話３からメール配信サイト１へ送信され、メール配信サイト（サーバ）１の希望コンテンツ記憶部に記憶される。
【００２９】
すなわち、これまでは、配信コンテンツの変更操作は、ユーザーが受信したメール画面において（客側の携帯電話において）配信コンテンツの変更を入力していき、つまりＷｅｂ上にて接続状態で操作するものであったが、このアタッチメント５を使用することにより、スクロールボタン１８による選択操作と、決定ボタン１７を押すという簡単な操作のみによって行うことができ、決定ボタン１７が最終的に押されることによりメール配信サイト１に送信され変更登録を完了することができる。これまでの煩わしさが著しく解消されるものである。
【００３０】
次に、アタッチメント５を用いた送信処理等の流れを具体的なフローチャートを用いてさらに詳しく説明する。図６は、アタッチメント５を客側（第三者）の携帯電話３に接続し、当該携帯電話３のメールアドレスをメール配信サイト１のサーバ１に登録する処理を説明するものである。まず、Ｓ１において、接続端子１６及び２８を介して、アタッチメント５を客側（第三者）の携帯電話３に接続する。そして、この接続状態において、アタッチメント５の表示画面４０（図５（ａ）参照）における「メール配信自動登録」のタグが選択された状態で決定ボタン１７が押された（ＯＮ）かどうかが判断される（Ｓ２）。「メール配信自動登録ボタン」が選択されて決定ボタン１７が押されている場合には、以下の処理を順次行って行く。
【００３１】
つまり、表示画面４０上で「メール配信自動登録」を選択した状態で決定ボタン１７を押すことにより、携帯電話３の表示画面３３に、図１０（ａ）に示すような希望コンテンツ選択画面が表示され、第三者により希望コンテンツの選択が行なわれる（Ｓ３）。図１０（ａ）に示すように、コンテンツの選択は、希望コンテンツ選択画面上にて希望するコンテンツに印をつけて、変更ボタンを選択することで行うことができる。希望コンテンツを選択すれば、第三者の携帯電話３に、アタッチメント５に記憶されているメール配信サイトのメールアドレスが書きこまれる（Ｓ４）。
【００３２】
そして、ＲＯＭ２５に格納されている携帯メールアドレス読み出しプログラムにより、携帯メールアドレス記憶部から携帯電話のメールアドレスが読み出される（Ｓ５）とともに、第三者の携帯電話３から、その携帯電話３のメールアドレス及びアタッチメント５に記憶されているホストユーザー（店側）のＩＤ（携帯電話番号等）を、メール配信サイト１のアドレスへ送信する（Ｓ６）。メール配信サイト１側でそれらのデータを受信する（Ｓ７）と、メール配信サイトから当該携帯電話に空メールが送信され（Ｓ８）、その空メール（何もコンテンツのない実体のないメール）の送信記録が、メール配信サイト１に記録されることにより、結果として、当該携帯電話のメールアドレスが登録されることになる（Ｓ９）。空メール送信はその登録のための便宜的な方法として採用される。
【００３３】
図７は、メール配信サイト１から携帯電話３にメールを配信する際の処理を示すフローチャートである。まず、メール発信をするタイミングかどうかを判断し（Ｑ１）、メールを発信するタイミングであると判断された場合には、登録された携帯電話３のメールアドレスに対応する配信希望コンテンツを読み出す（Ｑ２）。そして、Ｑ３において広告データを付けるかどうかを判断し、広告データを付ける場合には、その登録されたアドレスに対応するホストユーザーのＩＤからそのホストユーザーに関連する広告データを読み出し（Ｑ５）、携帯電話３のメールアドレスに配信希望コンテンツ及び広告データを配信する（Ｑ６）。
【００３４】
一方、Ｑ３において、広告データを付けないと判断した場合には、携帯電話３のメールアドレスに配信希望コンテンツを配信する（Ｑ４）。これにより、メール配信サイト１に登録されているメールアドレスの携帯電話（客（第三者）の携帯電話）３により、配信データを受領し、図１０（ｂ）に示すように、配信コンテンツ（例えば天気予報）が携帯電話３の表示画面３３に表示され、配信コンテンツを閲覧することができる（Ｑ７）。
【００３５】
このとき、Ｑ３において、広告データを付けると判断された場合には、図１０（ｂ）に示すように、配信コンテンツとともに広告コンテンツも携帯電話３において受領（メール配信）され、その内容が表示画面３３に表示される。
【００３６】
図８は、広告コンテンツをホスト（店側）のユーザーが編集する際の処理を説明するフローチャートである。まず、ホストユーザーの携帯電話４とアタッチメント５とをそれぞれの接続端子１６及び２８を介して接続し、アタッチメント５の表示画面４０に表示される（図５（ａ）参照）「編集」が選択されて、決定ボタン１７がＯＮになったか（決定ボタン１７が押されているか）どうかを判断する（Ｐ１）。決定ボタン１７がＯＮの場合には、アタッチメント５に記憶されているホストユーザーの携帯電話の番号を読み出すとともに（Ｐ２）、現在アタッチメント５に接続されている携帯電話の番号を読み出す（Ｐ３）。
【００３７】
そして、読み出されたアタッチメント５に記憶されている携帯電話の番号と、実際に接続されている携帯電話の番号とが一致するかどうかを判断して（Ｐ４）、両者の電話番号が一致した場合には、当該携帯電話からメール配信サイト１に登録されている、このホストユーザーの広告データのアドレスにアクセスして接続する（Ｐ５）。すると、アタッチメント５に接続されたホストユーザーの携帯電話４の表示画面に図１０（ｄ）に示すような広告コンテンツの編集画面が表示される。そして、このホストユーザーが当該編集画面上において、携帯電話における通常の入力操作により、広告コンテンツを書き換えることにより、変更処理を行うことができる（Ｐ６）。
【００３８】
ホストユーザーによる変更処理により、メール配信サイト１の広告データが変更され（Ｐ７）、変更された広告データは、メール配信サイト１に登録されることになり、この後客（第三者）に配信コンテンツが配信される際には、変更された広告コンテンツが配信されることになる。一方、Ｐ４の判断において、携帯電話の番号が一致しない場合には、無効処理（例えば、編集不可能であることを通知する）を行い（Ｐ８）、そのまま編集処理を終了する。
【００３９】
図９は、アタッチメント５を客側（第三者）の携帯電話３に接続し、希望する配信コンテンツの変更をメール配信サイト１のサーバー１に登録する処理を説明するものである。まず、Ｒ１において、接続端子１６及び２８を介して、アタッチメント５を客側（第三者）の携帯電話３に接続する。そして、この接続状態において、アタッチメント５の表示画面４０に表示される「配信コンテンツ変更」のタグが選択された状態（図５（ａ）参照）で、決定ボタン１７が押された（ＯＮ）かどうかが判断される（Ｒ２）。「配信コンテンツ変更」が選択されて決定ボタン１７が押されている場合には、以下の処理を順次行って行く。
【００４０】
つまり、決定ボタン１７を押すことにより、アタッチメント５の表示画面４０に、図５（ｂ）に示すような希望コンテンツ選択画面が表示され、第三者の希望するコンテンツの選択が行われる（Ｒ３）。そして、図５（ｃ）に示す最終希望コンテンツ選択画面にて最終選択が行われて、決定ボタン１７が押されたかどうかが判断される（Ｒ４）。つまり、図５（ｃ）に示すような最終希望コンテンツ選択画面において最終選択項目のうちのいずれかを選択した状態で決定ボタン１７を押せば（すなわち最終決定をすれば）、変更された希望のコンテンツ種別が、第三者の携帯電話３からメール配信サイト（サーバー）１に送信・登録される（Ｒ５）。より詳しく述べれば、変更された希望の配信コンテンツ種別が第三者の携帯電話のメールアドレスに関連付けてメール配信サイト１のサーバーに記録・登録される。
【００４１】
以上のような実施例によれば、店側がアタッチメントを入手し、このアタッチメントを用いて客の携帯電話のメールアドレスをサイトへ自動発信し、以後、客の携帯電話への希望コンテンツのメール配信という顧客サービス実施において、配信コンテンツの変更をも店側がアタッチメントを操作して、簡単に行うことができる。これにより、客側の面倒な変更操作が改善され、店側にとってもごく簡単な操作によって配信コンテンツ変更が可能となり、顧客サービスの向上を図ることができる。
【００４２】
なお、以上の実施例は、携帯電話等の携帯端末を利用して特定のサイトから所望のデータのメール配信を受けるために、自己の携帯端末のメールアドレス自動登録機能、及び配信を希望するコンテンツの変更登録等のためのアタッチメントを中心に説明したが、それはあくまで一例に過ぎず、例えばモバイルバンキングをするさいに、特定のネット銀行の特定のサイト（例えば入金、出金、残高照会、買い入れ等々の個々のサイト）へ携帯電話を接続するために、この発明のアタッチメントを使用することができる。また通信ネットワークとは関係なく、上述のアタッチメントを携帯電話に接続して、スクロールボタン（スクロール手段）や決定ボタン（決定手段）等で上層から順次下層の通信先を選択していき、目的とする通信先に電話する機能に利用することもできる。
【００４３】
また、以上の説明では、アタッチメントと携帯端末の接続はソケット同士の差込により物理的な導通状態をつくっていたが（接触型の接続形態）、これを非接触型の近距離無線通信（例えば赤外線通信、いわゆるブルーツウースと称される近距離データ通信等）を利用する接続形態にしてもよい。その場合は、アタッチメントにそうした通信部（接続部）が、携帯端末にこれに対応する通信部（接続部）が設けられていることとなる。
【図面の簡単な説明】
【図１】本発明の携帯端末のためのメール配信システムの概念図。
【図２】メール配信サイトのサーバの内容を説明する概念図。
【図３】携帯電話とアタッチメントとの接続関係を示す図。
【図４】携帯電話とアタッチメントの回路構成を示す概念図。
【図５】アタッチメントの表示画面例を示す図、特に配信コンテンツ変更における画面例。
【図６】メールアドレスの登録処理を説明するフローチャート。
【図７】配信コンテンツを配信する処理を説明するフローチャート。
【図８】広告コンテンツの編集処理を説明するフローチャート。
【図９】配信コンテンツの変更処理を説明するフローチャート。
【図１０】携帯電話の表示画面に表示される配信コンテンツの一形態を示す図。
【符号の説明】
１　メール配信サイト
２　インターネット
３　携帯電話（第三者）
４　携帯電話（ホスト）
５　アタッチメント
９　ＣＰＵ
１６　アタッチメントの接続端子
１７　決定ボタン（スイッチ）
１８　スクロールボタン
２４　ＣＰＵ
２６　ＲＡＭ
２８　携帯電話の接続端子
４０　アタッチメントの表示画面
【図１】
2004140639.tif 000003
【図２】
2004140639.tif 000004
【図３】
2004140639.tif 000005
【図４】
2004140639.tif 000006
【図５】
2004140639.tif 000007
【図６】
2004140639.tif 000008
【図７】
2004140639.tif 000009
【図８】
2004140639.tif 000010
【図９】
2004140639.tif 000011
【図１０】
2004140639.tif 000012
【手続補正書】
【提出日】平成15年3月24日(2003.3.24)
【手続補正１】
【補正対象書類名】明細書
【補正対象項目名】特許請求の範囲
【補正方法】変更
【補正の内容】
【特許請求の範囲】
【請求項１】
通信ネットワーク上のメール配信サイトに接続可能な通信ネットワーク接続機能を有する携帯電話の接続部に一時的に差し込んで使用され、その携帯電話の前記通信ネットワークに対する接続操作を補助するアタッチメントであって、
前記携帯電話の接続部に差し込まれる接続部を備えた本体と、
その本体に形成されてスクロール表示可能な表示画面と、
前記メール配信サイトのアドレスを記憶するメール配信サイトアドレス記憶部と、
そのメール配信サイトから前記通信ネットワークを介して所定のコンテンツの配信を前記携帯電話に受ける際にその配信コンテンツの種別（項目）を記憶するコンテンツ種別記憶部と、
前記表示画面に表示するメール配信自動登録の選択項目、並びに前記携帯電話が受けるべき配信コンテンツ変更の選択項目を含む機能選択項目と、その配信コンテンツ変更の機能選択項目が選択された場合にその下層構造として複数の内容選択項目を記憶する表示内容記憶部と、
前記表示画面をスクロールさせるスクロールボタンと、
そのスクロール後の表示内容に決定する決定ボタンとを備え、
前記決定ボタンは、前記コンテンツ種別をスクロール後の表示内容に決定するとともに、前記メール送信サイトのデータを前記携帯電話に供給して該メール送信サイトへその携帯電話を接続させ、前記決定されたコンテンツ種別をその携帯電話及び通信ネットワークを介して前記メール送信サイトへ送信することを特徴とする通信ネットワーク接続機能を備えた携帯電話に接続可能なアタッチメント。
【請求項２】
通信ネットワーク上のメール配信サイト及び店情報を載せている店情報サイトに接続可能な通信ネットワーク接続機能を有する携帯電話の接続部に一時的に差し込んで使用され、その携帯電話の前記通信ネットワークに対する接続操作を補助するアタッチメントであって、
前記携帯電話の接続部に差し込まれる接続部を備えた本体と、
その本体に形成されてスクロール表示可能な表示画面と、
前記メール配信サイトのアドレスを記憶するメール配信サイトアドレス記憶部と、
前記店情報サイトのアドレスを記憶する店情報サイトアドレス記憶部と、
前記メール配信サイトから前記通信ネットワークを介して所定のコンテンツの配信を前記携帯電話に受ける際にその配信コンテンツの種別（項目）を記憶するコンテンツ種別記憶部と、
前記表示画面に表示するメール配信自動登録の選択項目、並びに前記携帯電話が受けるべき配信コンテンツ変更の選択項目、さらに前記店情報サイトの店情報を編集するための選択項目を含む機能選択項目と、前記配信コンテンツ変更の機能選択項目が選択された場合にその下層構造として複数の内容選択項目を記憶する表示内容記憶部と、
前記表示画面をスクロールさせるスクロールボタンと、
そのスクロール後の表示内容に決定する決定ボタンとを備え、
前記決定ボタンは、前記コンテンツ種別をスクロール後の表示内容に決定するとともに、前記メール送信サイトのデータを前記携帯電話に供給して該メール送信サイトへその携帯電話を接続させ、前記決定されたコンテンツ種別をその携帯電話及び通信ネットワークを介して前記メール送信サイトへ送信する一方、前記決定ボタンにより前記編集の機能選択項目に決定された場合は、前記携帯電話を前記店情報サイトに接続させて携帯電話から該店情報サイトの内容を編集可能としたことを特徴とする通信ネットワーク接続機能を備えた携帯電話に接続可能なアタッチメント。
【請求項３】
前記アタッチメントは、メール配信サイトのアドレス（ＵＲＬ）を記憶する記憶部、店舗情報を載せているホームページのアドレス（ＵＲＬ）を記憶する記憶部、店側であるホストの携帯電話の電話番号を記憶する記憶部、アタッチメントの表示画面に表示される主な機能である機能選択項目を記憶する記憶部、さらにその機能の内容である内容選択項目を記憶する記憶部、ユーザーが選択するコンテンツを特定するためのコンテンツ種別を記憶する記憶部を備えている請求項１又は２に記載の通信ネットワーク接続機能を備えた携帯電話に接続可能なアタッチメント。
【請求項４】
前記アタッチメントのプログラム記憶手段には、
アタッチメントが携帯電話に接続された状態で配信登録操作がされることにより携帯電話のメールアドレスを読み出すプログラムと、
その携帯電話のメールアドレスを携帯電話及び通信ネットワークであるインターネットを介して前記メール配信サイトへ送信することを指令するプログラムと、ホスト側の携帯番号をチェックするプログラムと、
アタッチメントが店側（ホスト側）の携帯電話に接続された状態でホームページの編集操作決定がなされることにより当該ホスト側の携帯電話をメール配信サイトのホームページエリアへ繋げるための編集指令プログラムと、
アタッチメントが携帯電話に接続された状態で、配信コンテンツを変更する操作指令を出す配信コンテンツの変更指令プログラムと、
が格納されている請求項１ないし３のいずれか１項に記載の通信ネットワーク接続機能を備えた携帯電話に接続可能なアタッチメント。
【請求項５】
前記アタッチメントは、複数の階層構造を有する項目等のデータを記憶する記憶手段を備え、それら複数の各階層が選択的に前記表示画面に表示されている状態において前記決定操作手段により各階層の表示内容が決定指示されることにより上層から下層の表示内容が表示され、最終的に前記決定操作手段により決定指示されたデータが前記携帯端末に供給される請求項１ないし４のいずれか１項に記載の通信ネットワーク接続機能を備えた携帯電話に接続可能なアタッチメント。
【請求項６】
前記アタッチメントは、広告コンテンツをホスト（店側）のユーザーが編集するために、ホストユーザーの携帯電話と該アタッチメントとをそれぞれの接続端子を介して接続した状態で、アタッチメントの表示画面に表示される機能選択項目として編集が選択されて、決定ボタンが押されているかどうかを判断するステップと、
決定ボタンが押された場合には、アタッチメントに記憶されているホストユーザーの携帯電話の電話番号を読み出すステップと、
現在アタッチメントに接続されている携帯電話の電話番号を読み出すステップと、
読み出されたアタッチメントに記憶されている携帯電話の電話番号と、実際に接続されている携帯電話の電話番号とが一致するかどうかを判断するステップと、
両者の電話番号が一致した場合には、当該携帯電話からメール配信サイトに登録されている、このホストユーザーの広告データのアドレスにアクセスして接続するステップとを含むプログラムが記憶されており、
アタッチメントに接続されたホストユーザーの携帯電話の表示画面に広告コンテンツの編集画面が表示されて、該ホストユーザーが当該編集画面上において、携帯電話における通常の入力操作により、広告コンテンツを書き換えることにより変更処理を行うことができるようになっている請求項１ないし５のいずれ１項に記載の通信ネットワーク接続機能を備えた携帯電話に接続可能なアタッチメント。
【手続補正２】
【補正対象書類名】明細書
【補正対象項目名】０００６
【補正方法】変更
【補正の内容】
【０００６】
【課題を解決するための手段及び発明の効果】
この発明は、通信ネットワーク上のメール配信サイトに接続可能な通信ネットワーク接続機能を有する携帯電話の接続部に一時的に差し込んで使用され、その携帯電話の前記通信ネットワークに対する接続操作を補助するアタッチメントであって、
前記携帯電話の接続部に差し込まれる接続部を備えた本体と、
その本体に形成されてスクロール表示可能な表示画面と、
前記メール配信サイトのアドレスを記憶するメール配信サイトアドレス記憶部と、
そのメール配信サイトから前記通信ネットワークを介して所定のコンテンツの配信を前記携帯電話に受ける際にその配信コンテンツの種別（項目）を記憶するコンテンツ種別記憶部と、
前記表示画面に表示するメール配信自動登録の選択項目、並びに前記携帯電話が受けるべき配信コンテンツ変更の選択項目を含む機能選択項目と、その配信コンテンツ変更の機能選択項目が選択された場合にその下層構造として複数の内容選択項目を記憶する表示内容記憶部と、
前記表示画面をスクロールさせるスクロールボタンと、
そのスクロール後の表示内容に決定する決定ボタンとを備え、
前記決定ボタンは、前記コンテンツ種別をスクロール後の表示内容に決定するとともに、前記メール送信サイトのデータを前記携帯電話に供給して該メール送信サイトへその携帯電話を接続させ、前記決定されたコンテンツ種別をその携帯電話及び通信ネットワークを介して前記メール送信サイトへ送信することを特徴とする。
【手続補正３】
【補正対象書類名】明細書
【補正対象項目名】０００７
【補正方法】変更
【補正の内容】
【０００７】
また、この発明は、通信ネットワーク上のメール配信サイト及び店情報を載せている店情報サイトに接続可能な通信ネットワーク接続機能を有する携帯電話の接続部に一時的に差し込んで使用され、その携帯電話の前記通信ネットワークに対する接続操作を補助するアタッチメントであって、
前記携帯電話の接続部に差し込まれる接続部を備えた本体と、
その本体に形成されてスクロール表示可能な表示画面と、
前記メール配信サイトのアドレスを記憶するメール配信サイトアドレス記憶部と、
前記店情報サイトのアドレスを記憶する店情報サイトアドレス記憶部と、
前記メール配信サイトから前記通信ネットワークを介して所定のコンテンツの配信を前記携帯電話に受ける際にその配信コンテンツの種別（項目）を記憶するコンテンツ種別記憶部と、
前記表示画面に表示するメール配信自動登録の選択項目、並びに前記携帯電話が受けるべき配信コンテンツ変更の選択項目、さらに前記店情報サイトの店情報を編集するための選択項目を含む機能選択項目と、前記配信コンテンツ変更の機能選択項目が選択された場合にその下層構造として複数の内容選択項目を記憶する表示内容記憶部と、
前記表示画面をスクロールさせるスクロールボタンと、
そのスクロール後の表示内容に決定する決定ボタンとを備え、
前記決定ボタンは、前記コンテンツ種別をスクロール後の表示内容に決定するとともに、前記メール送信サイトのデータを前記携帯電話に供給して該メール送信サイトへその携帯電話を接続させ、前記決定されたコンテンツ種別をその携帯電話及び通信ネットワークを介して前記メール送信サイトへ送信する一方、前記決定ボタンにより前記編集の機能選択項目に決定された場合は、前記携帯電話を前記店情報サイトに接続させて携帯電話から該店情報サイトの内容を編集可能としたことを特徴とする。
【手続補正４】
【補正対象書類名】明細書
【補正対象項目名】０００８
【補正方法】変更
【補正の内容】
【０００８】
さらに、この発明では、前記アタッチメントは、メール配信サイトのアドレス（ＵＲＬ）を記憶する記憶部、店舗情報を載せているホームページのアドレス（ＵＲＬ）を記憶する記憶部、店側であるホストの携帯電話の電話番号を記憶する記憶部、アタッチメントの表示画面に表示される主な機能である機能選択項目を記憶する記憶部、さらにその機能の内容である内容選択項目を記憶する記憶部、ユーザーが選択するコンテンツを特定するためのコンテンツ種別を記憶する記憶部を備えている請求項１又は２に記載の通信ネットワーク接続機能を備えている。
【手続補正５】
【補正対象書類名】明細書
【補正対象項目名】０００９
【補正方法】変更
【補正の内容】
【０００９】
また、さらに具体的にこのアタッチメントのプログラム記憶手には、
アタッチメントが携帯電話に接続された状態で配信登録操作がされることにより携帯電話のメールアドレスを読み出すプログラムと、
その携帯電話のメールアドレスを携帯電話及び通信ネットワークであるインターネットを介して前記メール配信サイトへ送信することを指令するプログラムと、
アタッチメントが店側（ホスト側）の携帯電話に接続された状態でホームページの編集操作決定がなされることにより当該ホスト側の携帯電話をメール配信サイトのホームページエリアへ繋げるための編集指令プログラムと、
アタッチメントが携帯電話に接続された状態で、配信コンテンツを変更する操作指令を出す配信コンテンツの変更指令プログラムと、
が格納されている。
【手続補正６】
【補正対象書類名】明細書
【補正対象項目名】００１０
【補正方法】変更
【補正の内容】
【００１０】
そして、さらなる具体的な形態では、前記アタッチメントは、複数の階層構造を有する項目等のデータを記憶する記憶手段を備え、それら複数の各階層が選択的に前記表示画面に表示されている状態において前記決定操作手段により各階層の表示内容が決定指示されることにより上層から下層の表示内容が表示され、最終的に前記決定操作手段により決定指示されたデータが前記携帯端末に供給される前記決定ボタンは、前記コンテンツ種別をスクロール後の表示内容に決定するとともに、前記サイト場所データを前記携帯端末に供給して前記所定のサイトへその携帯端末を接続させ、前記決定されたコンテンツ種別をその携帯端末及び通信ネットワークを介して前記所定のサイトに送信するものである。
【手続補正７】
【補正対象書類名】明細書
【補正対象項目名】００１３
【補正方法】変更
【補正の内容】
【００１３】
さらに前記アタッチメントは、広告コンテンツをホスト（店側）のユーザーが編集するために、ホストユーザーの携帯電話と該アタッチメントとをそれぞれの接続端子を介して接続した状態で、アタッチメントの表示画面に表示される機能選択項目として編集が選択されて、決定ボタンが押されているかどうかを判断するステップと、
決定ボタンが押された場合には、アタッチメントに記憶されているホストユーザーの携帯電話の電話番号を読み出すステップと、
現在アタッチメントに接続されている携帯電話の電話番号を読み出すステップと、
読み出されたアタッチメントに記憶されている携帯電話の電話番号と、実際に接続されている携帯電話の電話番号とが一致するかどうかを判断するステップと、
両者の電話番号が一致した場合には、当該携帯電話からメール配信サイトに登録されている、このホストユーザーの広告データのアドレスにアクセスして接続するステップとを含むプログラムが記憶されており、
アタッチメントに接続されたホストユーザーの携帯電話の表示画面に広告コンテンツの編集画面が表示されて、該ホストユーザーが当該編集画面上において、携帯電話における通常の入力操作により、広告コンテンツを書き換えることにより変更処理を行うことができるようになっている。
【手続補正書】
【提出日】平成15年6月27日(2003.6.27)
【手続補正１】
【補正対象書類名】明細書
【補正対象項目名】特許請求の範囲
【補正方法】変更
【補正の内容】
【特許請求の範囲】
【請求項１】
通信ネットワーク上のメール配信サイトに接続可能な通信ネットワーク接続機能を有する携帯電話の接続部に一時的に差し込んで使用され、その携帯電話の前記通信ネットワークに対する接続操作を補助するアタッチメントであって、
前記携帯電話の接続部に差し込まれる接続部を備えた本体と、
その本体に形成されてスクロール表示可能な表示画面と、
前記メール配信サイトのアドレスを記憶するメール配信サイトアドレス記憶部と、
そのメール配信サイトから前記通信ネットワークを介して所定のコンテンツの配信を前記携帯電話に受けるためのその配信コンテンツの種別（項目）を記憶するコンテンツ種別記憶部と、
前記表示画面に表示するメール配信自動登録を行うか否かを選択するための選択項目、並びに前記携帯電話が受けるべき配信コンテンツの変更を行うか否かを選択するための選択項目を含む機能選択項目と、その配信コンテンツ変更の機能選択項目が選択された場合にその下層構造として複数の内容選択項目を記憶する表示内容記憶部と、
前記表示画面をスクロールさせるスクロールボタンと、
そのスクロール後の表示内容に決定する決定ボタンとを備え、
前記決定ボタンは、前記コンテンツ種別をスクロール後の表示内容に決定するとともに、前記携帯電話からメールアドレスを読み出させ、かつ前記メール配信サイトのアドレスを前記携帯電話に供給して該メール配信サイトへその携帯電話を接続させ、前記決定されたコンテンツ種別及び前記読み出された携帯電話のメールアドレスをその携帯電話及び通信ネットワークを介して前記メール配信サイトへ送信することを特徴とする通信ネットワーク接続機能を備えた携帯電話に接続可能なアタッチメント。
【請求項２】
通信ネットワーク上のメール配信サイト及び書換え可能な情報を載せている店情報サイトに接続可能な通信ネットワーク接続機能を有する携帯電話の接続部に一時的に差し込んで使用され、その携帯電話の前記通信ネットワークに対する接続操作を補助するアタッチメントであって、
前記携帯電話の接続部に差し込まれる接続部を備えた本体と、
その本体に形成されてスクロール表示可能な表示画面と、
前記メール配信サイトのアドレスを記憶するメール配信サイトアドレス記憶部と、
前記店情報サイトのアドレスを記憶する店情報サイトアドレス記憶部と、
前記メール配信サイトから前記通信ネットワークを介して所定のコンテンツの配信を前記携帯電話に受けるためのその配信コンテンツの種別（項目）を記憶するコンテンツ種別記憶部と、
前記表示画面に表示するメール配信自動登録を行うか否かを選択するための選択項目、並びに前記携帯電話が受けるべき配信コンテンツの変更を行うか否かを選択するための選択項目、さらに前記店情報サイトの情報を編集するか否かを選択するための選択項目を含む機能選択項目と、前記配信コンテンツ変更の機能選択項目が選択された場合にその下層構造として複数の内容選択項目を記憶する表示内容記憶部と、
前記表示画面をスクロールさせるスクロールボタンと、
そのスクロール後の表示内容に決定する決定ボタンとを備え、
前記決定ボタンは、前記コンテンツ種別をスクロール後の表示内容に決定するとともに、前記携帯電話からメールアドレスを読み出させ、かつ前記メール配信サイトのアドレスを前記携帯電話に供給して該メール配信サイトへその携帯電話を接続させ、前記決定されたコンテンツ種別及び前記読み出された携帯電話のメールアドレスをその携帯電話及び通信ネットワークを介して前記メール配信サイトへ送信させる一方、前記決定ボタンにより前記編集の機能選択項目に決定された場合は、前記携帯電話を前記店情報サイトに接続させて携帯電話から該店情報サイトの内容を編集可能としたことを特徴とする通信ネットワーク接続機能を備えた携帯電話に接続可能なアタッチメント。
【請求項３】
前記アタッチメントは、メール配信サイトのアドレス（ＵＲＬ）を記憶する記憶部、店舗情報を載せているホームページのアドレス（ＵＲＬ）を記憶する記憶部、店側であるホストの携帯電話の電話番号を記憶する記憶部、アタッチメントの表示画面に表示される主な機能である機能選択項目を記憶する記憶部、さらにその機能の内容である内容選択項目を記憶する記憶部、ユーザーが選択するコンテンツを特定するためのコンテンツ種別を記憶する記憶部を備えている請求項１又は２に記載の通信ネットワーク接続機能を備えた携帯電話に接続可能なアタッチメント。
【請求項４】
前記アタッチメントのプログラム記憶手段には、
アタッチメントが携帯電話に接続された状態で配信登録操作がされることにより携帯電話のメールアドレスを読み出すプログラムと、
その携帯電話のメールアドレスを携帯電話及び通信ネットワークであるインターネットを介して前記メール配信サイトへ送信することを指令するプログラムと、
前記アタッチメントに予め登録されている携帯電話の番号と前記アタッチメントに接続されている携帯電話の番号とが一致するか否かをチェックするプログラムと、
前記チェックを行った結果、一致する場合には、アタッチメントが携帯電話に接続された状態でホームページの編集開始の操作がなされることにより当該ホスト側の携帯電話をメール配信サイトのホームページエリアへ繋げるための編集指令プログラムと、
アタッチメントが携帯電話に接続された状態で、配信コンテンツを変更する操作指令を出す配信コンテンツの変更指令プログラムと、
が格納されている請求項１ないし３のいずれか１項に記載の通信ネットワーク接続機能を備えた携帯電話に接続可能なアタッチメント。
【請求項５】
前記アタッチメントは、複数の階層構造を有する項目等のデータを記憶する記憶手段を備え、それら複数の各階層が選択的に前記表示画面に表示されている状態において前記決定操作手段により各階層の表示内容が決定指示されることにより上層から下層の表示内容が表示され、最終的に前記決定操作手段により決定指示されたデータが前記携帯端末に供給される請求項１ないし４のいずれか１項に記載の通信ネットワーク接続機能を備えた携帯電話に接続可能なアタッチメント。
【請求項６】
前記アタッチメントは、ホストユーザーの携帯電話と該アタッチメントとをそれぞれの接続端子を介して接続した状態で、アタッチメントの表示画面に表示される機能選択項目として編集が選択されて、決定ボタンが押されているかどうかを判断するステップと、
決定ボタンが押された場合には、アタッチメントに記憶されているホストユーザーの携帯電話の電話番号を読み出すステップと、
現在アタッチメントに接続されている携帯電話の電話番号を読み出すステップと、
読み出されたアタッチメントに記憶されている携帯電話の電話番号と、実際に接続されている携帯電話の電話番号とが一致するかどうかを判断するステップと、
両者の電話番号が一致した場合には、当該携帯電話からメール配信サイトに登録されている、このホストユーザーの広告データのアドレスにアクセスして接続するステップとを含むプログラムが記憶されており、
アタッチメントに接続されたホストユーザーの携帯電話の表示画面に広告コンテンツの編集画面が表示されて、該ホストユーザーが当該編集画面上において、携帯電話における入力操作により、広告コンテンツを書き換えることにより変更処理を行うことができるようになっている請求項１ないし５のいずれか１項に記載の通信ネットワーク接続機能を備えた携帯電話に接続可能なアタッチメント。
【手続補正２】
【補正対象書類名】明細書
【補正対象項目名】０００６
【補正方法】変更
【補正の内容】
【０００６】
【課題を解決するための手段及び発明の効果】
この発明は、通信ネットワーク上のメール配信サイトに接続可能な通信ネットワーク接続機能を有する携帯電話の接続部に一時的に差し込んで使用され、その携帯電話の前記通信ネットワークに対する接続操作を補助するアタッチメントであって、
前記携帯電話の接続部に差し込まれる接続部を備えた本体と、
その本体に形成されてスクロール表示可能な表示画面と、
前記メール配信サイトのアドレスを記憶するメール配信サイトアドレス記憶部と、
そのメール配信サイトから前記通信ネットワークを介して所定のコンテンツの配信を前記携帯電話に受けるためのその配信コンテンツの種別（項目）を記憶するコンテンツ種別記憶部と、
前記表示画面に表示するメール配信自動登録を行うか否かを選択するための選択項目、並びに前記携帯電話が受けるべき配信コンテンツの変更を行うか否かを選択するための選択項目を含む機能選択項目と、その配信コンテンツ変更の機能選択項目が選択された場合にその下層構造として複数の内容選択項目を記憶する表示内容記憶部と、
前記表示画面をスクロールさせるスクロールボタンと、
そのスクロール後の表示内容に決定する決定ボタンとを備え、
前記決定ボタンは、前記コンテンツ種別をスクロール後の表示内容に決定するとともに、前記携帯電話からメールアドレスを読み出し、かつ前記メール配信サイトのアドレスを前記携帯電話に供給して該メール配信サイトへその携帯電話を接続させ、前記決定されたコンテンツ種別及び前記読み出された携帯電話のメールアドレスをその携帯電話及び通信ネットワークを介して前記メール配信サイトへ送信することを特徴とする。


【手続補正３】
【補正対象書類名】明細書
【補正対象項目名】０００７
【補正方法】変更
【補正の内容】
【０００７】
また、この発明は、通信ネットワーク上のメール配信サイト及び書換え可能な情報を載せている店情報サイトに接続可能な通信ネットワーク接続機能を有する携帯電話の接続部に一時的に差し込んで使用され、その携帯電話の前記通信ネットワークに対する接続操作を補助するアタッチメントであって、
前記携帯電話の接続部に差し込まれる接続部を備えた本体と、
その本体に形成されてスクロール表示可能な表示画面と、
前記メール配信サイトのアドレスを記憶するメール配信サイトアドレス記憶部と、
前記店情報サイトのアドレスを記憶する店情報サイトアドレス記憶部と、
前記メール配信サイトから前記通信ネットワークを介して所定のコンテンツの配信を前記携帯電話に受ける際にその配信コンテンツの種別（項目）を記憶するコンテンツ種別記憶部と、
前記表示画面に表示するメール配信自動登録を行うか否かを選択するための選択項目、並びに前記携帯電話が受けるべき配信コンテンツの変更を行うか否かを選択するための選択項目、さらに前記店情報サイトの情報を編集するか否かを選択するための選択項目を含む機能選択項目と、前記配信コンテンツ変更の機能選択項目が選択された場合にその下層構造として複数の内容選択項目を記憶する表示内容記憶部と、
前記表示画面をスクロールさせるスクロールボタンと、
そのスクロール後の表示内容に決定する決定ボタンとを備え、
前記決定ボタンは、前記コンテンツ種別をスクロール後の表示内容に決定するとともに、前記携帯電話からメールアドレスを読み出させ、かつ前記メール配信サイトのアドレスを前記携帯電話に供給して該メール配信サイトへその携帯電話を接続させ、前記決定されたコンテンツ種別及び前記読み出された携帯電話のメールアドレスをその携帯電話及び通信ネットワークを介して前記メール配信サイトへ送信させる一方、前記決定ボタンにより前記編集の機能選択項目に決定された場合は、前記携帯電話を前記店情報サイトに接続させて携帯電話から該店情報サイトの内容を編集可能としたことを特徴とする。


【手続補正４】
【補正対象書類名】明細書
【補正対象項目名】０００９
【補正方法】変更
【補正の内容】
【０００９】
また、さらに具体的にこのアタッチメントのプログラム記憶手段には、
アタッチメントが携帯電話に接続された状態で配信登録操作がされることにより携帯電話のメールアドレスを読み出すプログラムと、
その携帯電話のメールアドレスを携帯電話及び通信ネットワークであるインターネットを介して前記メール配信サイトへ送信することを指令するプログラムと、
前記アタッチメントに予め登録されている携帯電話の番号と前記アタッチメントに接続されている携帯電話の番号とが一致するか否かをチェックするプログラムと、
前記チェックを行った結果、一致する場合には、アタッチメントが携帯電話に接続された状態でホームページの編集開始の操作がなされることにより当該ホスト側の携帯電話をメール配信サイトのホームページエリアへ繋げるための編集指令プログラムと、
アタッチメントが携帯電話に接続された状態で、配信コンテンツを変更する操作指令を出す配信コンテンツの変更指令プログラムと、
が格納されている。


【手続補正５】
【補正対象書類名】明細書
【補正対象項目名】００１０
【補正方法】変更
【補正の内容】
【００１０】
そして、さらなる具体的な形態では、前記アタッチメントは、複数の階層構造を有する項目等のデータを記憶する記憶手段を備え、それら複数の各階層が選択的に前記表示画面に表示されている状態において前記決定操作手段により各階層の表示内容が決定指示されることにより上層から下層の表示内容が表示され、最終的に前記決定操作手段により決定指示されたデータが前記携帯電話に供給される。
【手続補正６】
【補正対象書類名】明細書
【補正対象項目名】００１３
【補正方法】変更
【補正の内容】
【００１３】
さらに前記アタッチメントは、ホストユーザーの携帯電話と該アタッチメントとをそれぞれの接続端子を介して接続した状態で、アタッチメントの表示画面に表示される機能選択項目として編集が選択されて、決定ボタンが押されているかどうかを判断するステップと、
決定ボタンが押された場合には、アタッチメントに記憶されているホストユーザーの携帯電話の電話番号を読み出すステップと、
現在アタッチメントに接続されている携帯電話の電話番号を読み出すステップと、
読み出されたアタッチメントに記憶されている携帯電話の電話番号と、実際に接続されている携帯電話の電話番号とが一致するかどうかを判断するステップと、
両者の電話番号が一致した場合には、当該携帯電話からメール配信サイトに登録されている、このホストユーザーの広告データのアドレスにアクセスして接続するステップとを含むプログラムが記憶されており、
アタッチメントに接続されたホストユーザーの携帯電話の表示画面に広告コンテンツの編集画面が表示されて、該ホストユーザーが当該編集画面上において、携帯電話における入力操作により、広告コンテンツを書き換えることにより変更処理を行うことができるようになっている。